(57)【要約】【目的】組み立て性が良好であり、安定性に優れ、一般的な筐体の肉厚範囲内で実現可能な電子機器の防滴構造を実現する。筐体の貫通孔を防滴状態で確実に保護し、紛失しにくいパッキンを提供する。【構成】上ケースＡの開口端面に周溝９が形成されている。周溝９に係合する凸部１０と、凸部から延設されて上ケースの開口端面と下ケースＢの開口端面の間に挟持される支持部１１と、支持部を挟んで凸部１０とは反対側に設けられて下ケースＢの開口端面により押圧される凸部１２とを有するパッキン５の周状部６を、上下ケースＡ，Ｂの各開口端面の間に設けて固定する。周状部に一体で連結した孔用パッキンを筐体外に設け、これで筐体の貫通孔を封止する。凸部１０が周溝に挿入され、支持部がケースＡの端面に載るので安定性が良く、組み立てやすい。下ケースＢの端縁が凸部１２を押すので防滴性能が確実である。【選択図】図５
2004193496.tif 000002
【特許請求の範囲】
【請求項１】
着脱可能に嵌合される第１のケース及び第２のケースからなる電子機器の筐体に適用される防滴構造であって、
少なくとも前記第１のケースの開口端面に周溝が形成されており、
前記周溝に係合する第１の凸部と、前記凸部から延設されて前記第１のケースの開口端面と前記第２のケースの開口端面の間に挟持される支持部と、前記支持部を挟んで前記第１の凸部とは反対側に設けられて前記第２のケースの開口端面により押圧される第２の凸部とを有する周状のパッキンを、前記第１のケースと第２のケースの各開口端面の間に設けて両ケースを互いに固定したことを特徴とする電子機器の防滴構造。
【請求項２】
前記第１のケースと第２のケースの少なくとも何れか一方に貫通孔が形成されており、該貫通孔を防滴状態で閉止する孔用パッキンを前記周状のパッキンに連結部を介して一体に設けて該孔用パッキンを前記筐体の外に配置したことを特徴とする請求項１記載の電子機器の防滴構造。
【発明の詳細な説明】
【０００１】
【発明の属する技術分野】
本発明は、電子機器の防滴構造、特に電子機器の筐体の分割面に設けるパッキンの構造等に関するものである。
【０００２】
【従来の技術】
電子機器では、分割構造の筐体の内部に回路基板や電源等を収納した構造のものがあるが、かかる筐体では当該電子機器の用途や想定される使用状況に応じ、その分割面に何らかの防滴構造が採用される場合がある。
【０００３】
防滴構造とは、日本工業規格の防水の種類及び意味（ＪＩＳ  Ｃ  ０９２０）やＩＥＣ５２９において定められており、鉛直から落ちてくる水滴や鉛直から15度の範囲で落ちてくる水滴によって有害な影響がないものを意味し、具体的な構造としては、例えば筐体の分割面にゴム製等のパッキンを設けたものが知られている。
【０００４】
具体的には、図７（ａ）に示すように、分割された上ケース１００と下ケース１０１からなる筐体の分割面に、断面Ｈ形のパッキン１０２を設ける。上下の両ケース１００，１０１の端縁はパッキンの上下の溝部１０２ａ，１０２ａに挿入され、両ケース１００，１０１同士は図示しない結合部で連結一体化させる。
【０００５】
また、図７（ｂ）に示すように、分割された上ケース２００と下ケース２０１からなる筐体の分割面に、断面コ字形のパッキン２０２を設ける。下ケース２０１の端縁はパッキン２０２の溝部２０２ａに挿入され、上ケース２００の端縁はパッキン２０２の上面２０２ｂに当接させ、両ケース２００，２０１同士は図示しない結合部で連結一体化させる。
【０００６】
【発明が解決しようとする課題】
図７（ａ）に示す構造では、筐体の外面よりもパッキン１０２が外方に突出してしまうため、電子機器全体としての外形が大きくなり、携帯性に問題があった。
【０００７】
また、図７（ｂ）に示す構造では、下ケース２０１の端縁をパッキン２０２の溝部２０２ａに確実に挿入保持させるためには、パッキン２０２は上面２０２ｂの全面で押えた方が好ましく、そのためには上ケース２００の端縁の厚さを大きくする必要があるが、筐体の分割面のみ一方のケース２００の端縁が肉厚になっているのは外観上好ましくなく、製造上もコストが上昇することから不都合である。
【０００８】
さらに、このような筐体の分割面にパッキン１０２，２０２を挟む構造は、筐体の一部に内部へ貫通するコネクタ部などを設けた場合、当該コネクタ部分を不使用時に一時的に防滴構造で被覆する目的では適用しにくい。
【０００９】
本発明は、これらの問題点を解決するために案出されたものであり、組み立て性が良好であり、安定性に優れ、一般的な筐体の肉厚範囲内で実現可能な電子機器の防滴構造を実現することを第１の目的としている。さらに、本発明は、かかる電子機器の筐体において、外部機器やコネクタを着脱可能に接続する等の目的で筐体に貫通して設けられた外部との連絡部等を防滴状態で確実に保護できるとともに、当該保護に用いたパッキン等がコネクタ等の接続時に不使用となる場合でも紛失しにくくすることを目的としている。
【００１０】
【課題を解決するための手段】
請求項１に記載された電子機器の防滴構造は、着脱可能に嵌合される第１のケース及び第２のケースからなる電子機器の筐体に適用されるものであり、まず、少なくとも前記第１のケースの開口端面に周溝が形成されている。そして、前記周溝に係合する第１の凸部と、前記凸部から延設されて前記第１のケースの開口端面と前記第２のケースの開口端面の間に挟持される支持部と、前記支持部を挟んで前記第１の凸部とは反対側に設けられて前記第２のケースの開口端面により押圧される第２の凸部とを有する周状のパッキンを、前記第１のケースと第２のケースの各開口端面の間に設けて、両ケースを互いに固定したことを特徴としている。
【００１１】
この構造によれば、第１のケースの開口した端縁の全周にわたって周溝があるので、第１の凸部を周溝に挿入した場合にパッキンが第１のケースに確実に取り付けられ、第１の凸部から両側に伸びる断面形状の支持部が第１のケースの端面に載るので、安定性に優れ、組み立て性が良好である。また、第２のケースの端縁が第２の凸部を押すことにより、防滴性能が一層確実になる。
【００１２】
請求項２に記載された電子機器の防滴構造は、請求項１記載の電子機器の防滴構造において、前記第１のケースと第２のケースの少なくとも何れか一方に貫通孔が形成されており、該貫通孔を防滴状態で閉止する孔用パッキンを前記周状のパッキンに連結部を介して一体に設けて、該孔用パッキンを前記筐体の外に配置したことを特徴としている。
【００１３】
この構造によれば、孔用パッキンが第１及び第２のケースの分割面を防滴する周状のパッキンに連結されて一体になっているので、ケースの貫通孔に孔用パッキンを取り付けない場合でも、該孔用パッキンが紛失しにくい。
【００１４】
【発明の実施の形態】
本発明の実施の形態を図１〜図６を参照して説明する。
図１は電子機器としての本例の携帯型多チャンネルデータ収録装置１ (以下、データ収録装置１とも呼ぶ）の外観図、図２はデータ収録装置１の筐体を分解した分解拡散斜視図、図３はパッキンの平面図、図４はパッキンの側面図、図５は本データ収録装置１の筐体の分割面における断面図、図６は本データ収録装置１の筐体のセンサ取り付け部付近の断面図である。
【００１５】
図１に示すデータ収録装置１の筐体２は、表示部３と操作部４が設けられた表側となる略箱状の上ケースＡと、筐体２の裏蓋となる略板状の下ケースＢからなる。筐体２の分割面、即ち両ケースＡ，Ｂの間には防滴機能を実現するための防滴部材として周状のパッキン５が設けられている。
【００１６】
図３及び図４に示すように、このパッキン５は、前記上下ケースＡ，Ｂの開口した端縁の形状に相当する角隅部にカーブが付けられた略矩形の周状部６と、この周状部６の一短辺に連結部８を介して一体に設けた孔用パッキン７とを有している。パッキン５は可撓性で防滴性能のある材料、例えばゴムからなる。
【００１７】
図５に示すように、上ケースＡの開口端面には、前記パッキン５の周状部６を取り付けるための周溝９が形成されている。周溝９の断面は略矩形である。パッキンの周状部６は、周溝９に係合する断面略矩形の第１の凸部１０を有している。この第１の凸部１０からは、両側に向けて支持部１１が延設されている。支持部１１は、上ケースＡの開口端面と下ケースＢの開口端面の間に挟持される部分である。そして、支持部１１を挟んで第１の凸部１０と反対側には、下ケースＢの開口端面に押圧される第２の凸部１２が設けられている。第２の凸部１２は、断面略半円形であるため、下ケースＢの開口端面との接触状態が良好である。
【００１８】
上ケースＡと下ケースＢの各開口端面の間にパッキンの周状部６を設けて両ケースＡ，Ｂを互いに固定する。詳細は図示しないが、両ケースＡ，Ｂの一方に設けたねじ孔におねじを通し、両ケースＡ，Ｂの他方にねじ孔に対応して設けられためねじ部に該おねじをねじ込むことによって両ケースＡ，Ｂを組み立て、固定することができる。図３に示すように、前記パッキンの周状部６には、かかるおねじが挿通する孔が形成された片部１３が要所に設けられている。
【００１９】
このような防滴構造によれば、上ケースＡの開口した端縁の全周にわたって周溝９があるので、第１の凸部１０を周溝９に挿入してパッキン５を確実に取り付けられる。また、第１の凸部１０から両側に伸びる支持部１１が上ケースＡの端面に載るので、組み立て時の安定性に優れ、組み立て性が良好である。また、下ケースＢの端縁が第２の凸部１２を安定した接触状態で押すことにより、両ケースＡ，Ｂとパッキン５が密着して防滴性能が一層確実になる。
【００２０】
また、従来用いられていたＨ形パッキンと異なり、パッキンの部分が筐体２の外に突出する不都合がなく、また従来のコ字形パッキンと異なり、筐体２を構成する一部のケースの分割面の肉厚を大きくする必要も無く、外観上の問題が生じない。即ち、電子機器における一般的な筐体の肉厚範囲内で防滴構造が実現できる。
【００２１】
次に、図６に示すように、上ケースＡの上端部には、外部にあるセンサのコンタクト１５が差し込まれるコネクタ部１６が形成されている。即ち、上ケースＡの上端面に形成された凹部１７の底には、筐体２内に連通する貫通孔１８が形成されており、外部のセンサのコンタクト１５はこの貫通孔１８を介して筐体２内の受け金具１９に挿入保持される。なお、受け金具１９は、筐体２内に設けられた端子基板２０に取り付けられ、端子基板２０に接続された回路基板２１に接続導通されている。また、本例では、外部センサは４つであり、これに対応して筐体２に設けられるコネクタ部も４箇所である。
【００２２】
図１に示すように、パッキンの周状部６に一体とされた孔用パッキン７は４つあり、図６に示すように結合された上下ケースＡ，Ｂの間から筐体２の外に導かれ、図１に示すように筐体２の外に突出して並んだ状態となっている。各孔用パッキン７の連結部８は周状部６及び孔用パッキン７と同材質のゴムであり自由に曲がるので、必要に応じて上ケースＡの各凹部１７に対応する孔用パッキン７を差し込んで防滴状態で封止し、貫通孔１８から筐体２内に水分が浸入するのを防止することができる。このコネクタ部１６にセンサのコンタクト１５を差し込む場合には、孔用パッキン７を外せばよい。
【００２３】
この構造によれば、孔用パッキン７が上下ケースＡ，Ｂの分割面に設けられた周状部６に連結されて一体になっているので、上ケースＡのコネクタ部１６の凹部１７に孔用パッキン７を取り付けない場合には、該孔用パッキン７は筐体２からぶら下がった状態となり、紛失しにくい。
【００２４】
以上説明した例では、電子機器として携帯型多チャンネルデータ収録装置を挙げたが、本発明の防滴構造が適用される電子機器はこれに限定されないことは当然であり、着脱可能に嵌合される少なくとも２つのケースからなる筐体を備えた電子機器に適用可能であり、さらに当該ケースの少なくとも一部に貫通孔が形成されており、これを防滴構造で着脱可能に封止するために適用可能である。
【００２５】
【発明の効果】
以上説明したように、本発明に係る電子機器の防滴構造によれば、ケースの分割面の溝部に、一対の凸部の間に支持部が張り出した断面略十字形の周状パッキンを設けた構造なので、組み立て性が良好であり、安定性に優れ、一般的な筐体の肉厚範囲内で実現可能な電子機器の防滴構造を実現することが可能となる。
【００２６】
さらに、本発明は、周状のパッキンに一体で孔用パッキンを設けて筐体外に配置したので、コネクタ等を着脱可能に接続するために筐体に設けた連絡孔等を防滴状態で確実に封止して内部機器を水分から保護できる。また、当該保護に用いた孔用パッキンがコネクタ等の接続時に不使用となる場合でも、筐体と連結されているので孔用パッキンが紛失しにくいという効果がある。
【図面の簡単な説明】
【図１】本例のデータ収録装置の外観図である。
【図２】本例のデータ収録装置の筐体を分解した分解拡散斜視図である。
【図３】本例のデータ収録装置に用いられるパッキンの平面図である。
【図４】本例のデータ収録装置に用いられるパッキンの側面図である。
【図５】本例のデータ収録装置の筐体の分割面における断面図である。
【図６】本例のデータ収録装置の筐体のセンサ取り付け部付近の断面図である。
【図７】従来の電子機器の筐体の分割面における防滴構造を示す断面図である。
【符号の説明】
１…電子機器としてのデータ収録装置、２…筐体、５…パッキン、６…周状部、７…孔用パッキン、８…連結部、９…周溝、１０…第１の凸部、１１…支持部、１２…第２の凸部、１５…コンタクト、１６…コネクタ部、１８…貫通孔。
【図１】
2004193496.tif 000003
【図２】
2004193496.tif 000004
【図３】
2004193496.tif 000005
【図４】
2004193496.tif 000006
【図５】
2004193496.tif 000007
【図６】
2004193496.tif 000008
【図７】
2004193496.tif 000009